【手続補正書】
【提出日】平成17年11月30日(2005.11.30)
【手続補正１】
【補正対象書類名】明細書
【補正対象項目名】特許請求の範囲
【補正方法】変更
【補正の内容】
【特許請求の範囲】
【請求項１】
ｐ３８によって仲介される疾病を処置するために有効な量の下記式Ｉの化合物またはその薬学的に許容し得る塩と、そして生理学的に許容し得る担体を含んでいる、宿主内でｐ３８によって仲介される疾病を処置するための薬剤組成物：
Ａ−Ｄ−Ｂ      （Ｉ）
式Ｉにおいて、
Ｄは−ＮＨ−Ｃ（Ｏ）−ＮＨ−であり；
Ａは式−Ｌ−（Ｍ−Ｌ1 ）q の炭素原子４０までの置換分であって、ここでＬはＤへ直接結合した５もしくは６員の環構造であり、Ｌ1 は少なくとも５員の置換環状基を含み、Ｍは少なくとも１原子を有するブリッジ基であり、ｑは１〜３の整数であり、そしてＬおよびＬ1 の環構造は窒素、酸素およびイオウよりなる群の０〜４員を含有し；
Ｂは置換もしくは未置換の三環までのアリールか、または窒素、酸素およびイオウよりなる群の０〜４員を含有するＤへ直結した少なくとも６員環構造を有する炭素原子３０までのヘテロアリール基であり；
ここでＬ1 は−ＳＯ2 Ｒx ，−Ｃ（Ｏ）Ｒx および−Ｃ（ＮＲy ）Ｒz よりなる群から選ばれた少なくとも一つの置換基によって置換されており；
Ｒy は水素か、または任意にＮ，ＳおよびＯから選ばれたヘテロ原子を含有しそして任意にペルハロまでハロゲン置換された炭素原子２４までの炭素系基であり；
Ｒz は水素か、または任意にハロゲン、ヒドロキシ、および任意にＮ，ＳおよびＯから選ばれたヘテロ原子を含有しそして任意にペルハロまでハロゲンで置換された炭素原子２４までの炭素系置換基で置換された任意にＮ，ＳおよびＯから選ばれたヘテロ原子を含有する炭素原子３０までの炭素系基であり；
Ｒx はＲz であるか、またはＮＲa Ｒb であり、ここでＲa およびＲb は、
ａ）独立に、水素か、または任意にハロゲン、ヒドロキシ、および任意にＮ，Ｓ，Ｏから選ばれたヘテロ原子を含有しそして任意にハロゲンまたは−ＯＳｉ（Ｒf ）3 で置換された炭素原子２４までの炭素系置換基で置換された任意にＮ，ＳおよびＯから選ばれたヘテロ原子を含有する炭素原子３０までの炭素系基であり、ここでＲf は水素か、または任意にハロゲン、ヒドロキシおよび任意にＮ，ＳおよびＯから選ばれたヘテロ原子を含有しそして任意にハロゲンで置換された炭素原子２４までの炭素系置換基で置換された任意にＮ，ＳおよびＯから選ばれたヘテロ原子を含有する炭素原子２４までの炭素系基であり、あるいは
ｂ）Ｒa およびＲb は一所でＮ，ＳおよびＯから選ばれたヘテロ原子１〜３の５ないし７員複素環を形成するか、またはハロゲン、ヒドロキシもしくは任意にＮ，ＳおよびＯから選ばれたヘテロ原子を含有しそして任意にハロゲンで置換された炭素原子２４までの炭素系置換基で置換されたＮ，ＳおよびＯから選ばれたヘテロ原子１〜３の置換５ないし７員複素環を形成し、あるいは
ｃ）Ｒa およびＲb の一つは少なくとも５員の環状構造を形成するように基Ｌへ結合した−Ｃ（Ｏ）−，Ｃ1 −Ｃ5 ２価アルキレンまたは置換Ｃ1 −Ｃ5 ２価アルキレンであって、置換Ｃ1 −Ｃ5 ２価アルキレンの置換基はハロゲン、ヒドロキシおよび任意にＮ，ＳおよびＯから選ばれたヘテロ原子を含有しそして任意にハロゲンで置換された炭素原子２４までの炭素系置換基からなる群から選ばれ；
Ｂが置換されている場合、Ｌが置換されているかまたはＬ1 が追加的に置換されており、その置換基はペルハロまでのハロゲンおよびＷn （ｎは１〜０）よりなる群から選ばれ、
この場合めいめいのＷは独立に−ＣＮ，−ＣＯ2 Ｒ7 ，−Ｃ（Ｏ）ＮＲ7 Ｒ7 ，−Ｃ（Ｏ）Ｒ7 ，−ＮＯ2 ，−ＯＲ7 ，−ＳＲ7 ，−ＮＲ7 Ｒ7 ，−ＮＲ7 Ｃ（Ｏ）ＯＲ7 ，−ＮＲ7 Ｃ（Ｏ）Ｒ7 ，−Ｑ−Ａｒ，および任意にＮ，ＳおよびＯから選ばれたヘテロ原子を含有しそして−ＣＮ，−ＣＯ2 Ｒ7 ，−Ｃ（Ｏ）Ｒ7 ，−Ｃ（Ｏ）ＮＲ7 Ｒ7 ，−ＯＲ7 ，−ＳＲ7 ，−ＮＲ7 Ｒ7 ，−ＮＯ2 ，−ＮＲ7 Ｃ（Ｏ）Ｒ7 ，−ＮＲ7 Ｃ（Ｏ）ＯＲ7 およびペルハロまでのハロゲンよりなる群から選ばれた１以上の置換基で任意に置換された炭素原子２４までの炭素系基よりなる群から独立に選ばれ、ここで各Ｒ7 はＨまたは任意にＮ，ＳおよびＯから選ばれたヘテロ原子を含有しそして任意にハロゲンで置換された炭素原子２４までの炭素系基から独立に選ばれ、
ここでＱは−Ｏ−，−Ｓ−，−Ｎ（Ｒ7 ）−，−（ＣＨ2 ）m −，−Ｃ（Ｏ）−，−ＣＨ（ＯＨ）−，−（ＣＨ2 ）m Ｏ−，−（ＣＨ2 ）m Ｓ−，−（ＣＨ2 ）m Ｎ（Ｒ7 ）−，−Ｏ（ＣＨ2 ）m −，ＣＨＸa −，ＣＸa 2 −，−Ｓ（ＣＨ2 ）m −，または−Ｎ（Ｒ7 ）（ＣＨ2 ）m −であり、（ｍは１〜３およびＸa はハロゲンである）；そして
Ａｒは窒素、酸素およびイオウよりなる群から選ばれたヘテロ原子０〜２を含有し、そして任意にペルハロまでハロゲンで置換され、そして任意にＺn1によって置換された５もしくは６員芳香族構造であって、ここでｎ１は０ないし３であり、各Ｚは−ＣＮ，−ＣＯ2 Ｒ7 ，−Ｃ（Ｏ）Ｒ7 ，−Ｃ（Ｏ）ＮＲ7 Ｒ7 ，−ＮＯ2 ，−ＯＲ7 ，−ＮＲ7 Ｒ7 ，−ＮＲ7 Ｃ（Ｏ）ＯＲ7 ，−ＮＲ7 Ｃ（Ｏ）Ｒ7 および任意にＮ，ＳおよびＯから選ばれたヘテロ原子を含有しそして任意に−ＣＮ，−ＣＯ2 Ｒ7 ，−Ｃ（Ｏ）Ｒ7 ，−Ｃ（Ｏ）ＮＲ7 Ｒ7 ，−ＯＲ7 ，−ＳＲ7 ，−ＮＯ2 ，−ＮＲ7 Ｒ7 ，−ＮＲ7 Ｃ（Ｏ）Ｒ7 および−ＮＲ7 Ｃ（Ｏ）ＯＲ7 よりなる群から選ばれた１以上の置換基で置換された炭素原子２４までの炭素系基よりなる群から独立に選ばれ、Ｒ7 は上記定義のとおりである。
【請求項２】
Ｒy は水素、Ｃ1-10アルキル、Ｃ1-10アルコキシ、ヘテロ原子０〜３を有するＣ3-10シクロアルキル、Ｃ2-10アルケニル、Ｃ1-10アルケノイル、Ｃ6-12アリール、Ｎ，ＳおよびＯから選ばれたヘテロ原子１〜３を有するＣ3-12ヘテロアリール、Ｃ7-24アラルキル、Ｃ7-24アルカリール、置換Ｃ1-10アルキル、置換Ｃ1-10アルコキシ、Ｎ，ＳおよびＯから選ばれたヘテロ原子０〜３を有するＣ3-10シクロアルキル、置換Ｃ6-14アリール、Ｎ，ＳおよびＯから選ばれたヘテロ原子１〜３を有する置換Ｃ3-12ヘテロアリール、置換Ｃ7-24アルカリール、またはＣ7-24置換アラルキルであり、Ｒy が置換されている場合それはペルハロまでハロゲンで置換されており；
Ｒz は、水素、Ｃ1-10アルキル、Ｃ1-10アルコキシ、Ｎ，ＳおよびＯから選ばれたヘテロ原子０〜３を有するシクロアルキル、Ｃ2-10アルケニル、Ｃ1-10アルケノイル、Ｃ6-12アリール、Ｎ，ＳおよびＯから選ばれたヘテロ原子１〜３を有するＣ3-12ヘテロアリール、Ｃ7-24アラルキル、Ｃ7-24アルカリール、置換Ｃ1-10アルキル、置換Ｃ1-10アルコキシ、置換Ｃ6-14アリール、Ｎ，ＳおよびＯから選ばれたヘテロ原子０〜３を有する置換Ｃ3-10シクロアルキル、Ｓ，ＮおよびＯから選ばれたヘテロ原子１〜３を有する置換Ｃ3-12へテロアリール、置換Ｃ7-24アルカリール、または置換Ｃ7-24アラルキルであり、Ｒz が置換されている場合それはペルハロまでのハロゲン、ヒドロキシ、Ｃ1-10アルキル、Ｏ，ＳおよびＮから選ばれたヘテロ原子０〜３を有するＣ3-12シクロアルキル、Ｎ，ＳおよびＯから選ばれたヘテロ原子１〜３を有するヘテロアリール、Ｃ1-10アルコキシ、置換Ｃ6-14アリール、ペルハロアルキルまでのＣ1-10ハロ置換アルキル、ペルハロアリールまでのＣ6-12ハロ置換アリール、Ｎ，ＳおよびＯから選ばれたヘテロ原子０〜３を有するペルハロシクロアルキルまでのＣ3-12ハロ置換シクロアルキル、Ｏ，ＮおよびＳから選ばれたヘテロ原子１〜３を有するペルハロヘテロアリールまでのＣ3-12ハロ置換ヘテロアリール、ペルハロアラルキルまでのハロ置換Ｃ7-24アラルキル、ペルハロアルカリールまでのハロ置換Ｃ7-24アルカリール、および−Ｃ（Ｏ）Ｒg によって置換されており；
Ｒa およびＲb は、
ａ）独立に水素、Ｃ1-10アルキル、Ｃ1-10アルコキシ、Ｃ3-10シクロアルキル、Ｃ2-10アルケニル、Ｃ6-12アリール、Ｏ，ＮおよびＳから選ばれたヘテロ原子１〜３を有するＣ3-12ヘテロアリール、Ｎ，ＳおよびＯから選ばれたヘテロ原子０〜３を有するＣ3-12シクロアルキル、Ｃ7-24アラルキル、Ｃ7-24アルカリール、置換Ｃ1-10アルキル、置換Ｃ1-10アルコキシ、Ｎ，ＳおよびＯから選ばれたヘテロ原子０〜３を有する置換Ｃ3-10シクロアルキル、置換Ｃ6-12アリール、Ｎ，ＳおよびＯから選ばれたヘテロ原子１〜３を有する置換Ｃ3-12ヘテロアリール、置換Ｃ7-24アラルキル、置換Ｃ7-24アルカリールであって、Ｒa およびＲb が置換された基である場合はそれらはペルハロまでのハロゲン、ヒドロキシ、Ｃ1-10アルキル、Ｏ，ＳおよびＮから選ばれたヘテロ原子０〜３を有するＣ3-12シクロアルキル、Ｎ，ＳおよびＯから選ばれたヘテロ原子１〜３を有するＣ3-12ヘテロアリール、Ｃ1-10アルコキシ、Ｃ6-12アリール、ペルハロアルキルまでのＣ1-6 ハロ置換アルキル、ペルハロアリールまでのＣ6-12ハロ置換アリール、ペルハロシクロアルキルまでのＮ，ＳおよびＯから選ばれたヘテロ原子０〜３を有するＣ3-12ハロ置換シクロアルキル、ペルハロヘテロアリールまでのＮ，ＳおよびＯから選ばれたヘテロ原子１〜３を有するＣ3-12ハロ置換ヘテロアリール、ペルハロアラルキルまでのハロ置換Ｃ7-24アラルキル、ペルハロアルカリールまでのハロ置換Ｃ7-24アルカリール、および−Ｃ（Ｏ）Ｒg か、または−ＯＳｉ（Ｒf ）3 によって置換されており、
ここでＲf は水素、Ｃ1-10アルキル、Ｃ1-10アルコキシ、Ｏ，ＳおよびＮから選ばれたヘテロ原子０〜３を有するＣ3-10シクロアルキル、Ｃ6-12アリール、Ｏ，ＳおよびＮから選ばれたヘテロ原子１〜３を有するＣ3-12ヘテロアリール、Ｃ7-24アラルキル、置換Ｃ1-10アルキル、置換Ｃ1-10アルコキシ、Ｏ，ＳおよびＮから選ばれたヘテロ原子０〜３を有する置換Ｃ3-12ヘテロアリール、置換Ｃ6-12アリール、および置換Ｃ7-24アルカリールであり、Ｒf が置換されている基である場合はそれはペルハロまでのハロゲン、ヒドロキシ、Ｃ1-10アルキル、Ｏ，ＳおよびＮから選ばれたヘテロ原子０〜３を有するＣ3-12シクロアルキル、Ｏ，ＳおよびＮから選ばれたヘテロ原子１〜３を有するＣ3-12ヘテロアリール、Ｃ1-10アルコキシ、Ｃ6-12アリール、Ｃ7-24アルカリール、Ｃ7-24アラルキル、ペルハロアルキルまでのＣ1-6 ハロ置換アルキル、ペルハロアリールまでのＣ6-12ハロ置換アリール、ペルハロシクロアルキルまでのＮ，ＳおよびＯから選ばれたヘテロ原子０〜３を有するＣ3-12ハロ置換シクロアルキル、ペルハロヘテロアリールまでのＮ，ＳおよびＯから選ばれたヘテロ原子１〜３を有するＣ3-12ハロ置換ヘテロアリール、ペルハロアラルキルまでのハロ置換Ｃ7-24アラルキル、ペルハロアルカリールまでのハロ置換Ｃ7-24アルカリールおよび−Ｃ（Ｏ）Ｒg で置換されており；または
ｂ）Ｒa およびＲb は一所でＮ，ＳおよびＯから選ばれたヘテロ原子１〜３を有する５ないし７員複素環構造を形成するか、またはペルハロまでのハロゲン、ヒドロキシ、Ｃ1-10アルキル、Ｏ，ＳおよびＮから選ばれたヘテロ原子０〜３を有するＣ3-12シクロアルキル、Ｎ，ＳおよびＯから選ばれたヘテロ原子１〜３を有するＣ3-12ヘテロアリール、Ｃ1-10アルコキシ、Ｃ6-12アリール、Ｃ7-24アルカリール、Ｃ7-24アラルキル、ペルハロアルキルまでのハロ置換Ｃ1-6 アルキル、ペルハロアリールまでのハロ置換Ｃ6-12アリール、ペルハロシクロアルキルまでのＮ，ＳおよびＯから選ばれたヘテロ原子０〜３を有するＣ3-12シクロアルキル、ペルハロヘテロアリールまでのＮ，ＳおよびＯから選ばれたヘテロ原子１〜３を有するハロ置換Ｃ3-12ヘテロアリール、ペルハロアラルキルまでのハロ置換Ｃ7-24アラルキル、ペルハロアルカリールまでのハロ置換Ｃ7-24アルカリールおよび−Ｃ（Ｏ）Ｒg よりなる群から選ばれた置換基を有するＮ，ＳおよびＯから選ばれたヘテロ原子１〜３を有する置換５ないし７員複素環構造を形成し、または
ｃ）Ｒa またはＲb の一つは少なくとも５員の環状構造を形成するように基Ｌへ結合したＣ1-5 ２価アルキレン基かまたはＣ1-5 ２価アルキレン基であって、置換Ｃ1-5 ２価アルキレン基の置換基はハロゲン、ヒドロキシ、Ｃ1-10アルキル、Ｏ，ＳおよびＮから選ばれたヘテロ原子０〜３を有するＣ3-12シクロアルキル、Ｎ，ＳおよびＯから選ばれたヘテロ原子１〜３を有するＣ3-12ヘテロアリール、Ｃ1-10アルコキシ、Ｃ6-12アリール、Ｃ7-24アルカリール、Ｃ7-24アラルキル、ペルハロアルキルまでのＣ1-6 ハロ置換アルキル、ペルハロアリールまでのＣ6-12ハロ置換アリール、ペルハロシクロアルキルまでのＮ，ＳおよびＯから選ばれたヘテロ原子０〜３を有するＣ3-12ハロ置換シクロアルキル、ペルハロヘテロアリールまでのＮ，ＳおよびＯから選ばれたヘテロ原子１〜３を有するＣ3-12ハロ置換ヘテロアリール、ペルハロアラルキルまでのハロ置換Ｃ7-24アラルキル、ペルハロアルカリールまでのハロ置換Ｃ7-24アルカリールおよびＣ（Ｏ）Ｒg よりなる群から選ばれ；
Ｒg はＣ1-10アルキル、−ＣＮ，−ＣＯ2 Ｒd ，−ＯＲd ，−ＳＲd ，−ＮＯ2 ，−Ｃ（Ｏ）Ｒe ，−ＮＲd Ｒe ，−ＮＲd Ｃ（Ｏ）ＯＲe −ＮＲd Ｃ（Ｏ）ＯＲe および−ＮＲd Ｃ（Ｏ）Ｒe であって、Ｒd およびＲe は独立に水素、Ｃ1-10アルキル、Ｃ1-10アルコキシ、Ｏ，ＮおよびＳから選ばれたヘテロ原子０〜３を有するＣ3-10シクロアルキル、Ｃ6-12アリール、Ｏ，ＮおよびＳから選ばれたヘテロ原子１〜３を有するＣ3-12ヘテロアリール、Ｃ7-24アラルキル、Ｃ7-24アルカリール、ペルハロ置換までのＣ1-10アルキル、Ｏ，ＮおよびＳから選ばれたヘテロ原子０〜３を有するペルハロ置換までのＣ3-10シクロアルキル、ペルハロ置換までのＣ6-14アリール、Ｏ，ＮおよびＳから選ばれたヘテロ原子１〜３を有するペルハロ置換までのＣ3-12ヘテロアリール、ペルハロ置換アルカリールまでのハロ置換Ｃ7-24アルカリールおよびペルハロ置換までのＣ7-24アラルキルよりなる群から選ばれ；
Ｗは独立に−ＣＮ，−ＣＯ2 Ｒ7 ，−Ｃ（Ｏ）Ｒ7 Ｒ7 ，−Ｃ（Ｏ）Ｒ7 ，−ＮＯ2 ，−ＯＲ7 ，−ＳＲ7 ，−ＮＲ7 Ｒ7 ，−ＮＲ7 Ｃ（Ｏ）ＯＲ7 ，−ＮＲ7 Ｃ（Ｏ）Ｒ7 ，Ｃ1-10アルキル、Ｃ1-10アルコキシ、Ｃ2-10アルケニル、Ｃ1-10アルケノイル、Ｏ，ＳおよびＮから選ばれたヘテロ原子０〜３を有するＣ3-10シクロアルキル、Ｃ6-14アリール、Ｃ7-24アルカリール、Ｏ，ＳおよびＮから選ばれたヘテロ原子１〜３を有するＣ3-12ヘテロアリール、Ｏ，ＮおよびＳから選ばれたヘテロ原子１〜３を有するＣ4-23アルキルヘテロアリール、置換Ｃ1-10アルキル、置換Ｃ1-10アルコキシ、置換Ｃ2-10アルケニル、置換Ｃ1-10アルケノイル、Ｏ，ＮおよびＳから選ばれたヘテロ原子０〜３を有する置換Ｃ3-10シクロアルキル、置換Ｃ6-12アリール、Ｏ，ＮおよびＳから選ばれたヘテロ原子１〜３を有する置換Ｃ3-12ヘテロアリール、置換Ｃ7-24アラルキル、置換Ｃ7-24アルカリール、Ｏ，ＮおよびＳから選ばれたヘテロ原子１〜３を有する置換Ｃ4-23アルキルヘテロアリールおよび−ＱＡｒよりなる群から選ばれ；
Ｒ7 は独立にＨ，Ｃ1-10アルキル、Ｃ1-10アルコキシ、Ｃ2-10アルケニル、Ｃ1-10アルケノイル、Ｏ，ＮおよびＳから選ばれたヘテロ原子０〜３を有するＣ3-10シクロアルキル、Ｃ6-14アリール、Ｏ，ＮおよびＳから選ばれたヘテロ原子１〜３を有するＣ3-13ヘテロアリール、Ｃ7-14アルカリール、Ｃ7-24アラルキル、Ｏ，ＮおよびＳから選ばれたヘテロ原子１〜３を有するＣ4-23アルキルヘテロアリール、ペルハロ置換までのＣ1-10アルキル、Ｏ，ＮおよびＳから選ばれたヘテロ原子０〜３を有するペルハロ置換までのＣ3-10シクロアルキル、Ｏ，ＮおよびＳから選ばれたヘテロ原子１〜３を有するペルハロ置換までのＣ3-13ヘテロアリール、ペルハロ置換までのＣ6-14アリール、ペルハロ置換までのＣ7-24アラルキル、ペルハロ置換までのＣ7-24アルカリールおよびペルハロ置換までのＣ4-23アルキルヘテロアリールよりなる群から選ばれ；
各Ｚは独立に−ＣＮ，−ＣＯ2 Ｒ7 ，−Ｃ（Ｏ）Ｒ7 ，−Ｃ（Ｏ）ＮＲ7 Ｒ7 ，−ＮＯ2 ，−ＯＲ7 ，−ＳＲ7 ，−ＮＲ7 Ｒ7 ，ＮＲ7 Ｃ（Ｏ）ＯＲ7 ，−ＮＲ7 Ｃ（Ｏ）Ｒ7 ，Ｃ1-10アルキル、Ｃ1-10アルコキシ、Ｃ2-10アルケニル、Ｃ1-10アルケノイル、Ｏ，ＮおよびＳから選ばれたヘテロ原子０〜３を有するＣ3-10シクロアルキル、Ｃ6-14アリール、０，ＮおよびＳから選ばれたヘテロ原子１〜３を有するＣ3-13ヘテロアリール、Ｃ7-24アルカリール、Ｃ7-24アラルキル、Ｏ，ＮおよびＳから選ばれたヘテロ原子１〜３を有するＣ4-23アルキルヘテロアリール、置換Ｃ1-10アルキル、置換Ｃ1-10アルコキシ、置換Ｃ2-10アルケニル、置換Ｃ1-10アルケノイル、Ｏ，ＮおよびＳから選ばれたヘテロ原子０〜３を有するＣ3-10シクロアルキル、置換Ｃ6-12アリール、置換Ｃ7-24アルカリール、置換Ｃ7-24アラルキル、Ｏ，ＮおよびＳから選ばれたヘテロ原子１〜３を有する置換Ｃ4-23アルキルヘテロアリールよりなる群から選ばれ、もしＺが置換された基である場合は一以上の置換基は−ＣＮ，−ＣＯ2 Ｒ7 ，−ＣＯＲ7 ，−Ｃ（Ｏ）ＮＲ7 Ｒ7 ，−ＯＲ7 ，−ＳＲ7 ，−ＮＯ2 ，−ＮＲ7 Ｒ7 ，−ＮＲ7 Ｃ（Ｏ）ＯＲ7 および−ＮＲ7 Ｃ（Ｏ）ＯＲ7 よりなる群から選ばれる、請求項１の薬剤組成物。
【請求項３】
Ｍは−Ｏ−，−Ｓ−，−Ｎ（Ｒ7 ）−，−（ＣＨ2 ）m −，−Ｃ（Ｏ）−，−ＣＨ（ＯＨ）−，−（ＣＨ2 ）m Ｏ−，−（ＣＨ2 ）m Ｓ−，−（ＣＨ2 ）m Ｎ（Ｒ7 ）−，−Ｏ（ＣＨ2 ）m −，−ＣＨＸa −，−ＣＸa 2 −，−Ｓ（ＣＨ2 ）m −および−Ｎ（Ｒ7 ）（ＣＨ2 ）m −からなる群から選ばれた一以上のブリッジ基であり、ｍは１〜３，Ｘa はハロゲン、Ｒ7 前記定義のとおりである請求項１の薬剤組成物。
【請求項４】
Ｄへ直結した環状構造ＢおよびＬはオルト位置が−ＯＨによって置換されていない請求項１の薬剤組成物。
【請求項５】
Ｄへ直結した環状構造ＢおよびＬはオルト位置がイオン化し得る水素および１０以下のｐＫａを有する基によって置換されていない請求項１の薬剤組成物。
【請求項６】
式ＩのＢは、置換または未置換の６員アリール基または６員ヘテロアリール基であり、前記ヘテロアリール基は窒素、酸素およびイオンからなる群から選ばれた１〜４員を有し、ヘテロアリール基の残余は炭素である請求項１の薬剤組成物。
【請求項７】
式ＩのＢは、未置換フェニル基、未置換ピリジル基、未置換ピリミジニル基、ハロゲンおよびＷn （Ｗおよびｎは請求項１の定義に同じ）よりなる群から選ばれた置換基で置換されたフェニル基、ハロゲンおよびＷn （Ｗおよびｎは請求項１の定義に同じ）よりなる群から選ばれた置換基で置換されたピリミジニル基、またはハロゲンおよびＷn （Ｗおよびｎは請求項１の定義に同じ）よりなる群から選ばれた置換により置換されたピリジル基である請求項１の医薬組成物。
【請求項８】
Ｄへ直結した６員環構造Ｌは、置換もしくは未置換の６員環アリールまたは置換もしくは未置換の６員環ヘテロアリールであって、前記ヘテロアリールは窒素、酸素およびイオウから選ばれたヘテロ原子１〜４員と残余の炭素原子を有し、置換はハロゲンおよびＷn （Ｗおよびｎは請求項１の定義に同じ）からなる群から選ばれた一以上の置換基である請求項１の薬剤組成物。
【請求項９】
Ｄへ直結した６員環構造Ｌは、置換フェニル、未置換フェニル、置換ピリミジニル、未置換ピリミジニル、置換ピリジルまたは未置換ピリジルである請求項１の薬剤組成物。
【請求項１０】
前記置換環状基Ｌ1 は５または６員環のアリール基またはヘテロアリール基を含み、前記ヘテロアリール基は窒素、酸素およびイオウからなるヘテロ原子の群から選ばれた１ないし４員を含んでいる請求項１の薬剤組成物。
【請求項１１】
前記置換環状基Ｌ1 はフェニル、ピリジニルまたはピリミジニルであり、Ｍは、−Ｏ−，−Ｓ−，−Ｎ（Ｒ7 ）−，−（ＣＨ2 ）m −，−Ｃ（Ｏ）−，−ＣＨ（ＯＨ）−，−（ＣＨ2 ）m Ｏ−，−（ＣＨ2 ）m Ｓ−，−（ＣＨ2 ）m Ｎ（Ｒ7 ）−，−Ｏ（ＣＨ2 ）m −，−ＣＨＸa −，−ＣＸa 2 −，−Ｓ（ＣＨ2 ）m −および−Ｎ（Ｒ7 ）（ＣＨ2 ）m −からなる群から選ばれた一以上のブリッジ基であり、ここでｍは１〜３，Ｘa はハロゲン、Ｒ7 は水素または任意にＮ，ＳおよびＯから選ばれたヘテロ原子を含有しそして任意にペルハロまでハロゲンで置換された炭素原子２４までの炭素系基である請求項１の薬剤組成物。
【請求項１２】
Ｌ1 は、Ｃ1-10アルキル、ペルハロ置換までのＣ1-10アルキル、−ＣＮ，−ＯＨ，ハロゲン、Ｃ1-10アルコキシおよびペルハロ置換までのＣ1-10アルコキシよりなる群から選ばれた一以上の置換基によって付加的に１ないし３回置換されている請求項１の薬剤組成物。
【請求項１３】
Ｌ1 は−Ｃ（Ｏ）Ｒx によって置換されている請求項１の薬剤組成物。
【請求項１４】
Ｌ1 は−Ｃ（Ｏ）Ｒx または−ＳＯ2 Ｒx によって置換され、ここでＲx はＮＲa Ｒb である請求項１の薬剤組成物。
【請求項１５】
ｐ３８によって仲介される疾病を処置するために有効な量の下記式Ｉの化合物またはその薬学的に許容し得る塩と、そして生理学的に許容し得る担体を含んでいる、宿主内でｐ３８によって仲介される疾病を処置するための薬剤組成物：
Ａ−Ｄ−Ｂ      （Ｉ）
式Ｉにおいて、
Ｄは−ＮＨ−Ｃ（Ｏ）−ＮＨ−であり；
Ａは式−Ｌ−（Ｍ−Ｌ1 ）q の炭素原子４０までの置換分であって、ここでＬはＤへ直接結合した６員アリール基または６員ヘテロアリール基であり、Ｌ1 は少なくとも５員の置換環状基を含み、Ｍは少なくとも１原子を有するブリッジ基であり、ｑは１〜３の整数である。そしてＬおよびＬ1 の各環状構造は窒素、酸素およびイオウよりなる群の０〜４員を含有し；
Ｂは置換もしくは未置換の三環までのアリール、または窒素、酸素およびイオウよりなる群の０〜４員を含有するＤへ直結した少なくとも６員環状構造を有するん炭素原子３０までのヘテロアリール基であり；
ここでＬ1 は−ＳＯ2 Ｒx ，−Ｃ（Ｏ）Ｒx および−Ｃ（ＮＲy ）Ｒz よりなる群から選ばれた少なくとも一つの置換基によって置換されており；
Ｒy は水素か、または任意にＮ，ＳおよびＯから選ばれたヘテロ原子を含有しそして任意にペルハロまでハロゲン置換された炭素原子２４までの炭素系基であり；
Ｒz は水素か、または任意にハロゲン、ヒドロキシ、および任意にＮ，ＳおよびＯから選ばれたヘテロ原子を含有しそして任意にペルハロまでハロゲンで置換された炭素原子２４までの炭素系置換基で置換された任意にＮ，ＳおよびＯから選ばれたヘテロ原子を含有する炭素原子３０までの炭素系基であり；
Ｒx はＲz であるか、またはＮＲa Ｒb であり、ここでＲa およびＲb は、
ａ）独立に、水素か、または任意にハロゲン、ヒドロキシ、および任意にＮ，Ｓ，Ｏから選ばれたヘテロ原子を含有しそして任意にハロゲンまたは−ＯＳｉ（Ｒf ）3 で置換された炭素原子２４までの炭素系置換基で置換された任意にＮ，ＳおよびＯから選ばれたヘテロ原子を含有する炭素原子３０までの炭素系基であり、ここでＲf は水素か、または任意にハロゲン、ヒドロキシおよび任意にＮ，ＳおよびＯから選ばれたヘテロ原子を含有しそして任意にハロゲンで置換された炭素原子２４までの炭素系置換基で置換された任意にＮ，ＳおよびＯから選ばれたヘテロ原子を含有する炭素原子２４までの炭素系基であり、あるいは
ｂ）Ｒa およびＲb は一所でＮ，ＳおよびＯから選ばれたヘテロ原子１〜３の５ないし７員複素環を形成するか、またはハロゲン、ヒドロキシもしくは任意にＮ，ＳおよびＯから選ばれたヘテロ原子を含有しそして任意にハロゲンで置換された炭素原子２４までの炭素系置換基で置換されたＮ，ＳおよびＯから選ばれたヘテロ原子１〜３の置換５ないし７員複素環を形成し、あるいは
ｃ）Ｒa およびＲb の一つは少なくとも５員の環状構造を形成するように基Ｌへ結合した−Ｃ（Ｏ）−，Ｃ1 −Ｃ5 ２価アルキレンまたは置換Ｃ1 −Ｃ5 ２価アルキレンであって、置換Ｃ1 −Ｃ5 ２価アルキレンの置換基はハロゲン、ヒドロキシおよび任意にＮ，ＳおよびＯから選ばれたヘテロ原子を含有しそして任意にハロゲンで置換された炭素原子２４までの炭素系置換基からなる群から選ばれ；
Ｂが置換されている場合、Ｌが置換されているかまたはＬ1 が追加的に置換されており、その置換基はペルハロまでのハロゲンおよびＷn （ｎは１〜３）よりなる群から選ばれ、
この場合めいめいのＷは独立に−ＣＮ，−ＣＯ2 Ｒ7 ，−Ｃ（Ｏ）ＮＲ7 Ｒ7 ，−Ｃ（Ｏ）Ｒ7 ，−ＮＯ2 ，−ＯＲ7 ，−ＳＲ7 ，−ＮＲ7 Ｒ7 ，−ＮＲ7 Ｃ（Ｏ）ＯＲ7 ，−ＮＲ7 Ｃ（Ｏ）Ｒ7 ，−Ｑ−Ａｒ，および任意にＮ，ＳおよびＯから選ばれたヘテロ原子を含有しそして−ＣＮ，−ＣＯ2 Ｒ7 ，−Ｃ（Ｏ）Ｒ7 ，−Ｃ（Ｏ）ＮＲ7 Ｒ7 ，−ＯＲ7 ，−ＳＲ7 ，−ＮＲ7 Ｒ7 ，−ＮＯ2 ，−ＮＲ7 Ｃ（Ｏ）Ｒ7 ，−ＮＲ7 Ｃ（Ｏ）ＯＲ7 およびペルハロまでのハロゲンよりなる群から選ばれた１以上の置換基で任意に置換された炭素原子２４までの炭素系基よりなる群から独立に選ばれ、ここで各Ｒ7 はＨまたは任意にＮ，ＳおよびＯから選ばれたヘテロ原子を含有しそして任意にハロゲンで置換された炭素原子２４までの炭素系基から独立に選ばれ、
ここでＱは−Ｏ−，−Ｓ−，−Ｎ（Ｒ7 ）−，−（ＣＨ2 ）m −，−Ｃ（Ｏ）−，−ＣＨ（ＯＨ）−，−（ＣＨ2 ）m Ｏ−，−（ＣＨ2 ）m Ｓ−，−（ＣＨ2 ）m Ｎ（Ｒ7 ）−，−Ｏ（ＣＨ2 ）m −，ＣＨＸa −，ＣＸa 2 −，−Ｓ（ＣＨ2 ）m −，または−Ｎ（Ｒ7 ）（ＣＨ2 ）m −であり、（ｍは１〜３およびＸa はハロゲンである）；そして
Ａｒは窒素、酸素およびイオウよりなる群から選ばれたヘテロ原子０〜２を含有し、そして任意にペルハロまでハロゲンで置換され、そして任意にＺn1によって置換された５もしくは６員芳香族構造であって、ここでｎ１は０ないし３であり、各Ｚは−ＣＮ，−ＣＯ2 Ｒ7 ，−Ｃ（Ｏ）Ｒ7 ，−Ｃ（Ｏ）ＮＲ7 Ｒ7 ，−ＮＯ2 ，−ＯＲ7 ，−ＮＲ7 Ｒ7 ，−ＮＲ7 Ｃ（Ｏ）ＯＲ7 ，−ＮＲ7 Ｃ（Ｏ）Ｒ7 および任意にＮ，ＳおよびＯから選ばれたヘテロ原子を含有しそして任意に−ＣＮ，−ＣＯ2 Ｒ7 ，−Ｃ（Ｏ）Ｒ7 ，−Ｃ（Ｏ）ＮＲ7 Ｒ7 ，−ＯＲ7 ，−ＳＲ7 ，−ＮＯ2 ，−ＮＲ7 Ｒ7 ，−ＮＲ7 Ｃ（Ｏ）Ｒ7 および−ＮＲ7 Ｃ（Ｏ）ＯＲ7 よりなる群から選ばれた１以上の置換基で置換された炭素原子２４までの炭素系基よりなる群から独立に選ばれ、Ｒ7 は上記定義のとおりであり、
ここでＭは−Ｏ−，−Ｓ−，−Ｎ（Ｒ7 ）−，−（ＣＨ2 ）m −，−Ｃ（Ｏ）−，−ＣＨ（ＯＨ）−，−（ＣＨ2 ）m Ｏ−，−（ＣＨ2 ）m Ｓ−，−（ＣＨ2 ）m Ｎ（Ｒ7 ）−，−Ｏ（ＣＨ2 ）−，−ＣＨＸa - −ＣＸa - ，−Ｓ（ＣＨ2 ）m −および−Ｎ（Ｒ7 ）（ＣＨ2 ）m −よりなる群から選ばれた１以上のブリッジ基であり、ここでｍ＝１〜３，Ｘa はハロゲンである。
【請求項１６】
ｐ３８によって仲介される疾病を処置するために有効な量の下記式Ｉの化合物またはその薬学的に許容し得る塩と、そして生理学的に許容し得る担体を含んでいる、宿主内でｐ３８によって仲介される疾病を処置するための薬剤組成物：
Ａ−Ｄ−Ｂ          （Ｉ）
式Ｉにおいて、
Ｄは−ＮＨ−Ｃ（Ｏ）−ＮＨ−であり；
Ａは式−Ｌ−（Ｍ−Ｌ1 ）q の炭素数４０までの置換分であって、ここでＬはＤへ直接結合した置換もしくは未置換のフェニル基またはペリトニアル基であり、Ｌ1 は置換フェニル、プリトニル，またはピリミジニルを含み、Ｍは少なくとも１原子を有するブリッジ基であり、ｑは１〜３の整数てあり；
ＢはＤへ直結した置換もしくは未置換のフェニルまたはピリジニル基であり；
ここでＬ1 は−ＳＯ2 Ｒx ，−Ｃ（Ｏ）Ｒx および−Ｃ（ＮＲy ）Ｒz よりなる群から選ばれた少なくとも一つの置換基によって置換されており；
Ｒy は水素か、または任意にＮ，ＳおよびＯから選ばれたヘテロ原子を含有しそして任意にペルハロまでハロゲン置換された炭素原子２４までの炭素系基であり；
Ｒz は水素か、または任意にハロゲン、ヒドロキシ、および任意にＮ，ＳおよびＯから選ばれたヘテロ原子を含有しそして任意にペルハロまでハロゲンで置換された炭素原子２４までの炭素系置換基で置換された任意にＮ，ＳおよびＯから選ばれた炭素原子３０までの炭素系基であり；
Ｒx はＲz であるか、またはＮＲa Ｒb であり、ここでＲa およびＲb は、
ａ）独立に、水素か、または任意にハロゲン、ヒドロキシ、および任意にＮ，Ｓ，Ｏから選ばれたヘテロ原子を含有しそして任意にハロゲンまたは−ＯＳｉ（Ｒf ）3 で置換された炭素原子２４までの炭素系置換基で置換された任意にＮ，ＳおよびＯから選ばれたヘテロ原子を含有する炭素原子３０までの炭素系基であり、ここでＲf は水素か、または任意にハロゲン、ヒドロキシおよび任意にＮ，ＳおよびＯから選ばれたヘテロ原子を含有しそして任意にハロゲンで置換された炭素原子２４までの炭素系置換基で置換された任意にＮ，ＳおよびＯから選ばれたヘテロ原子を含有する炭素原子２４までの炭素系基であり、あるいは
ｂ）Ｒa およびＲb は一所でＮ，ＳおよびＯから選ばれたヘテロ原子１〜３の５ないし７員複素環を形成するか、またはハロゲン、ヒドロキシもしくは任意にＮ，ＳおよびＯから選ばれたヘテロ原子を含有しそして任意にハロゲンで置換された炭素原子２４までの炭素系置換基で置換されたＮ，ＳおよびＯから選ばれたヘテロ原子１〜３の置換５ないし７員複素環を形成し、あるいは
ｃ）Ｒa およびＲb の一つは少なくとも５員の環状構造を形成するように基Ｌへ結合した−Ｃ（Ｏ）−，Ｃ1 −Ｃ5 ２価アルキレンまたは置換Ｃ1 −Ｃ5 ２価アルキレンであって、置換Ｃ1 −Ｃ5 ２価アルキレンの置換基はハロゲン、ヒドロキシおよび任意にＮ，ＳおよびＯから選ばれたヘテロ原子を含有しそして任意にハロゲンで置換された炭素原子２４までの炭素系置換基からなる群から選ばれ；
Ｂが置換されている場合、Ｌが置換されているかまたはＬ1 が追加的に置換されており、その置換基はペルハロまでのハロゲンおよびＷn （ｎは１〜０）よりなる群から選ばれ、
この場合めいめいのＷは独立に−ＣＮ，−ＣＯ2 Ｒ7 ，−Ｃ（Ｏ）ＮＲ7 Ｒ7 ，−Ｃ（Ｏ）Ｒ7 ，−ＮＯ2 ，−ＯＲ7 ，−ＳＲ7 ，−ＮＲ7 Ｒ7 ，−ＮＲ7 Ｃ（Ｏ）ＯＲ7 ，−ＮＲ7 Ｃ（Ｏ）Ｒ7 ，−Ｑ−Ａｒ，および任意にＮ，ＳおよびＯから選ばれたヘテロ原子を含有しそして−ＣＮ，−ＣＯ2 Ｒ7 ，−Ｃ（Ｏ）Ｒ7 ，−Ｃ（Ｏ）ＮＲ7 Ｒ7 ，−ＯＲ7 ，−ＳＲ7 ，−ＮＲ7 Ｒ7 ，−ＮＯ2 ，−ＮＲ7 Ｃ（Ｏ）Ｒ7 ，−ＮＲ7 Ｃ（Ｏ）ＯＲ7 およびペルハロまでのハロゲンよりなる群から選ばれた１以上の置換基で任意に置換された炭素原子２４までの炭素系基よりなる群から独立に選ばれ、ここで各Ｒ7 はＨまたは任意にＮ，ＳおよびＯから選ばれたヘテロ原子を含有しそして任意にハロゲンで置換された炭素原子２４までの炭素系基から独立に選ばれ、
ここでＱは−Ｏ−，−Ｓ−，−Ｎ（Ｒ7 ）−，−（ＣＨ2 ）m −，−Ｃ（Ｏ）−，−ＣＨ（ＯＨ）−，−（ＣＨ2 ）m Ｏ−，−（ＣＨ2 ）m Ｓ−，−（ＣＨ2 ）m Ｎ（Ｒ7 ）−，−Ｏ（ＣＨ2 ）m −，ＣＨＸa −，−ＣＸa 2 −，−Ｓ（ＣＨ2 ）m −，または−Ｎ（Ｒ7 ）（ＣＨ2 ）m −であり、（ｍは１〜３およびＸa はハロゲンである）；そして
Ａｒは窒素、酸素およびイオウよりなる群から選ばれたヘテロ原子０〜２を含有し、そして任意にペルハロまでハロゲンで置換され、そして任意にＺn1によって置換された５もしくは６員芳香族構造であって、ここでｎ１は０ないし３であり、各Ｚは−ＣＮ，−ＣＯ2 Ｒ7 ，−Ｃ（Ｏ）Ｒ7 ，−Ｃ（Ｏ）ＮＲ7 Ｒ7 ，−ＮＯ2 ，−ＯＲ7 ，−ＮＲ7 Ｒ7 ，−ＮＲ7 Ｃ（Ｏ）ＯＲ7 ，−ＮＲ7 Ｃ（Ｏ）Ｒ7 および任意にＮ，ＳおよびＯから選ばれたヘテロ原子を含有しそして任意に−ＣＮ，−ＣＯ2 Ｒ7 ，−Ｃ（Ｏ）Ｒ7 ，−Ｃ（Ｏ）ＮＲ7 Ｒ7 ，−ＯＲ7 ，−ＳＲ7 ，−ＮＯ2 ，−ＮＲ7 Ｒ7 ，−ＮＲ7 Ｃ（Ｏ）Ｒ7 および−ＮＲ7 Ｃ（Ｏ）ＯＲ7 よりなる群から選ばれた１以上の置換基で置換された炭素原子２４までの炭素系基よりなる群から独立に選ばれ、Ｒ7 は上記定義のとおりであり；
ここでＭは−Ｏ−，−Ｓ−，−Ｎ（Ｒ7 ）−，−（ＣＨ2 ）m −，−Ｃ（Ｏ）−，−ＣＨ（ＯＨ）−，−（ＣＨ2 ）m Ｏ−，−（ＣＨ2 ）m Ｓ−，−（ＣＨ2 ）m Ｎ（Ｒ7 ）−，−Ｏ（ＣＨ2 ）−，−ＣＨＸa - −ＣＸa - ，−Ｓ（ＣＨ2 ）m −および−Ｎ（Ｒ7 ）（ＣＨ2 ）m −よりなる群から選ばれた１以上のブリッジ基であり、ここでｍ＝１〜３，Ｘa はハロゲンである。
【請求項１７】
Ｄへ直結する環構造ＢおよびＬはそのオルト位置が−ＯＨによって置換されていない請求項１５の薬剤組成物。
【請求項１８】
Ｄへ直結する環構造ＢおよびＬはそのオルト位置がイオン化可能な水素および１０以下のｐＫａを有する基によって置換されていない請求項１５の薬剤組成物。
【請求項１９】
Ｄへ直結する環構造ＢおよびＬはそのオルト位置が−ＯＨによって置換されていない請求項１６の薬剤組成物。
【請求項２０】
Ｄへ直結する環構造ＢおよびＬはそのオルト位置がイオン化可能な水素および１０以下のｐＫａを有する基によって置換されていない請求項１６の薬剤組成物。
【請求項２１】
Ｌ1 はＣ（Ｏ）Ｒx または−ＳＯ2 Ｒx によって置換され、Ｒx はＮＲa Ｒb である請求項１５の薬剤組成物。
【請求項２２】
Ｌ1 はＣ（Ｏ）Ｒx または−ＳＯ2 Ｒx によって置換され、Ｒx はＮＲa Ｒb である請求項１６の薬剤組成物。
【請求項２３】
ａ）塩酸、臭化水素酸、硫酸、リン酸、メタンスルホン酸、トリフルオロスルホン酸、ベンゼンスルホン酸、ｐ−トルエンスルホン酸（トシル酸）、１−ナフタレンスルホン酸、２−ナフタレンスルホン酸、酢酸、トリフルオロ酢酸、リンゴ酸、酒石酸、クエン酸、乳酸、シュウ酸、コハク酸、フマル酸、マレイン酸、安息香酸、サリチル酸、フェニル酢酸、およびマンデル酸からなる群から選ばれた無機酸および有機酸の塩基塩、および
ｂ）アルカリカチオン、アルカリ土類カチオン、アンモニウムカチオン、脂肪族置換アンモニウムカチオンおよび芳香族置換アンモニウムカチオンよりなる群から選ばれた無機および有機塩基の酸塩、よりなる群から選ばれた式Ｉの化合物の薬学的に許容し得る塩を含有する請求項１の薬剤組成物。
【請求項２４】
ａ）塩酸、臭化水素酸、硫酸、リン酸、メタンスルホン酸、トリフルオロスルホン酸、ベンゼンスルホン酸、ｐ−トルエンスルホン酸（トシル酸）、１−ナフタレンスルホン酸、２−ナフタレンスルホン酸、酢酸、トリフルオロ酢酸、リンゴ酸、酒石酸、クエン酸、乳酸、シュウ酸、コハク酸、フマル酸、マレイン酸、安息香酸、サリチル酸、フェニル酢酸、およびマンデル酸からなる群から選ばれた無機酸および有機酸の塩基塩、および
ｂ）アルカリカチオン、アルカリ土類カチオン、アンモニウムカチオン、脂肪族置換アンモニウムカチオンおよび芳香族置換アンモニウムカチオンよりなる群から選ばれた無機および有機塩基の酸塩、よりなる群から選ばれた式Ｉの化合物の薬学的に許容し得る塩を含有する請求項１５の薬剤組成物。
【請求項２５】
ａ）塩酸、臭化水素酸、硫酸、リン酸、メタンスルホン酸、トリフルオロスルホン酸、ベンゼンスルホン酸、ｐ−トルエンスルホン酸（トシル酸）、１−ナフタレンスルホン酸、２−ナフタレンスルホン酸、酢酸、トリフルオロ酢酸、リンゴ酸、酒石酸、クエン酸、乳酸、シュウ酸、コハク酸、フマル酸、マレイン酸、安息香酸、サリチル酸、フェニル酢酸、およびマンデル酸からなる群から選ばれた無機酸および有機酸の塩基塩、および
ｂ）アルカリカチオン、アルカリ土類カチオン、アンモニウムカチオン、脂肪族置換アンモニウムカチオンおよび芳香族置換アンモニウムカチオンよりなる群から選ばれた無機および有機塩基の酸塩、よりなる群から選ばれた式Ｉの化合物の薬学的に許容し得る塩を含有する請求項１６の薬剤組成物。
【請求項２６】
３−ｔ−ブチルフェニル尿素類：
Ｎ−（３−ｔ−ブチルフェニル）−Ｎ’−（４−（３−（Ｎ−メチルカルバモイル）フェノキシ）フェニル尿素、および
Ｎ−（３−ｔ−ブチルフェニル）−Ｎ’−（４−（４−アセチルフェノキシ）フェニル尿素；
５−ｔ−ブチル−２−メトキシフェニル尿素類：
Ｎ−（５−ｔ−ブチル−２−メトキシフェニル）−Ｎ’−（４−（１，３−ジオキソイソインドリン−５−イルオキシ）フェニル）尿素、
Ｎ−（５−ｔ−ブチル−２−メトキシフェニル）−Ｎ’−（４−（１−オキソイソインドリン−５−イルオキシ）フェニル尿素，
Ｎ−（５−ｔ−ブチル−２−メトキシフェニル）−Ｎ’−（４−（４−メトキシ−３−（Ｎ−メチルカルバモイル）フェノキシ）フェニル）尿素、および
Ｎ−（５−ｔ−ブチル−２−メトキシフェニル）−Ｎ’−（４−（３−Ｎ−メチルカルバモイル）フェノキシ）フェニル）尿素；
２−メトキシ−５−（トリフルオロメチル）フェニル尿素類：
Ｎ−（２−メトキシ−５−（トリフルオロメチル）フェニル）−Ｎ’−（３−（２−カルバモイル−４−ピリジルオキシ）フェニル）尿素、
Ｎ−（２−メトキシ−５−（トリフルオロメチル）フェニル）−Ｎ’−（３−（２−（Ｎ−メチルカルバモイル）−４−ピリジルオキシ）フェニル）尿素、
Ｎ−（２−メトキシ−５−（トリフルオロメチル）フェニル）−Ｎ’−（４−（２−カルバモイル−４−ピリジルオキシ）フェニル）尿素、
Ｎ−（２−メトキシ−５−（トリフルオロメチル）フェニル）−Ｎ’−（４−（２−（Ｎ−メチルカルバモイル）−４−ピリジルオキシ）フェニル）尿素、
Ｎ−（２−メトキシ−５−（トリフルオロメチル）フェニル）−Ｎ’−（４−（２−（Ｎ−メチルカルバモイル）−４−ピリジルチオ）フェニル）尿素、
Ｎ−（２−メトキシ−５−（トリフルオロメチル）フェニル）−Ｎ’−（２−クロロ−４−（２−（Ｎ−メチルカルバモイル）−４−ピリジルオキシ）フェニル）尿素、および
Ｎ−（２−メトキシ−５−（トリフルオロメチル）フェニル）−Ｎ’−（３’−クロロ−４−（２−（Ｎ−メチルカルバモイル）−４−ピリジルオキシ）フェニル）尿素；
４−クロロ−３−（トリフルオロメチル）フェニル尿素類：
Ｎ−（４−クロロ−３−（トリフルオロメチル）フェニル）−Ｎ’−（３−（２−カルバモイル−４−ピリジルオキシ）フェニル）尿素、
Ｎ−（４−クロロ−３−（トリフルオロメチル）フェニル）−Ｎ’−（３−（２−（Ｎ−メチルカルバモイル）−４−ピリジルオキシ）フェニル）尿素、
Ｎ−（４−クロロ−３−（トリフルオロメチル）フェニル）−Ｎ’−（４−（２−カルバモイル−４−ピリジルオキシ）フェニル）尿素、
Ｎ−（４−クロロ−３−（トリフルオロメチル）フェニル）−Ｎ’−（４−（２−（Ｎ−メチルカルバモイル）−４−ピリジルオキシ）フェニル）尿素；
４−ブロモ−３−（トリフルオロメチル）フェニル尿素類：
Ｎ−（４−ブロモ−３−（トリフルオロメチル）フェニル−Ｎ’−（３−（２−（Ｎ−メチルカルバモイル）−４−ピリジルオキシ）フェニル）尿素、
Ｎ−（４−ブロモ−３−（トリフルオロメチル）フェニル−Ｎ’−（４−（２−（Ｎ−メチルカルバモイル）−４−ピリジルオキシ）フェニル）尿素、
Ｎ−（４−ブロモ−３−（トリフルオロメチル）フェニル−Ｎ’−（３−（２−（Ｎ−メチルカルバモイル）−４−ピリジルオキシ）フェニル）尿素、
Ｎ−（４−ブロモ−３−（トリフルオロメチル）フェニル−Ｎ’−（２−クロロ−４−（２−（Ｎ−メチルカルバモイル）−４−ピリジルオキシ）フェニル）尿素、および
Ｎ−（４−ブロモ−３−（トリフルオロメチル）フェニル−Ｎ’−（３−クロロ−４−（２−（Ｎ−メチルカルバモイル）−４−ピリジルオキシ）フェニル）尿素；および
２−メトキシ−４−クロロ−５−（トリフルオロメチル）フェニル尿素類：
Ｎ−（２−メトキシ−４−クロロ−５−（トリフルオロメチル）フェニル）−Ｎ’−（３−（２−（Ｎ−メチルカルバモイル）−４−ピリジルオキシ）フェニル）尿素、
Ｎ−（２−メトキシ−４−クロロ−５−（トリフルオロメチル）フェニル）−Ｎ’−（４−（２−（Ｎ−メチルカルバモイル）−４−ピリジルオキシ）フェニル）尿素、
Ｎ−（２−メトキシ−４−クロロ−５−（トリフルオロメチル）フェニル）−Ｎ’−（２−クロロ−４−（２−（Ｎ−メチルカルバモイル）−４−ピリジルオキシ）フェニル）尿素、および
Ｎ−（２−メトキシ−４−クロロ−５−（トリフルオロメチル）フェニル）−Ｎ’−（３−クロロ−４−（２−（Ｎ−メチルカルバモイル）−４−ピリジルオキシ）フェニル）尿素、
からなる群から選ばれた化合物を含有する、宿主内においてｐ３８によって仲介される疾病を処理するための薬剤組成物。